(57)【要約】【課題】  足裏に対する機能性部材の位置調整及び位置決めを容易に且つ確実に行えるようにする。【解決手段】  下シート１及び上シート２に面ファスナを設けて、両シート１，２を着脱自在にし、上シート２において、踵部Ｘから第一及び第五中足骨Ｂ１，Ｂ５の基端部にかけて内側に向かうにしたがって深く湾曲するように切欠き２ａ，２ｂを形成し、下シート１において、第二、第三中足骨Ｂ２，Ｂ３の先端部から第二、第三中足趾節間関節Ｃ２，Ｃ３にかけての足裏の部位Ｗに孔１ａを形成し、両シート１，２において、孔１ａに第二機能性部材１０を取り付けると共に、上シート２の切欠き２ａ，２ｂから臨出するように第一機能性部材５を設ける。【選択図】図４
2009279327.tif 000002
【特許請求の範囲】
【請求項１】
足裏の形状に応じて形成される下シート（１）と、該下シート（１）と同一形状に形成される上シート（２）とが互いに着脱自在に構成されると共に、該両シート（１，２）の間に、足裏を支持する機能性部材（５，１０）が介挿される履物用中敷において、両シート（１，２）の少なくとも一方に、機能性部材（５，１０）の位置決め及び／又は位置調整を行うための切欠き（２ａ，２ｂ）及び孔（１ａ）のうち少なくとも一方が形成されることを特徴とする履物用中敷。
【請求項２】
前記切欠き（２ａ，２ｂ）は、上シート（２）及び下シート（１）の少なくとも一方において、足の踵骨（Ａ１）の先端部から第一中足骨（Ｂ１）の基端部にかけての足裏の側部、及び足の踵骨（Ａ１）の先端部から第五中足骨（Ｂ５）の基端部にかけての足裏の側部の少なくとも一方に対応する箇所に、足裏の内側に向かうにしたがって深く湾曲するように形成されることを特徴とする請求項１に記載の履物用中敷。
【請求項３】
前記機能性部材（５）は、内部に封入される流動体（９）が足の動きに応じて流動することにより圧縮膨張する薄板状の袋状部（８）を有し、該袋状部（８）は、足裏の踵部（Ｘ）、踵骨（Ａ１）の先端部から第一及び第五中足骨（Ｂ１，Ｂ５）の基端部にかけての足裏の両側部、及び第一〜第五中足骨（Ｂ１〜Ｂ５）の基端部が並列する足裏の中足部（Ｙ）のうち少なくとも一つの部位に位置するように個別に設けられる、或いは少なくとも二つの部位に連続するように設けられ、足裏の両側部に位置する袋状部（８）は、前記切欠き（２ａ，２ｂ）に位置することを特徴とする請求項２に記載の履物用中敷。
【請求項４】
前記孔（１ａ）は、上シート（２）及び下シート（１）の少なくとも一方において、第二、第三中足骨（Ｂ２，Ｂ３）の先端部から第二、第三中足趾節間関節（Ｃ２，Ｃ３）にかけての足裏の部位に対応する箇所に、第二、第三中足骨（Ｂ２，Ｂ３）の先端部側に向かうにしたがって大きく、第二、第三中足趾節間関節（Ｃ２，Ｃ３）側に向かうにしたがって小さくなるように形成されることを特徴とする請求項１乃至３のいずれか１項に記載の履物用中敷。
【請求項５】
前記機能性部材（１０）は、緩衝部材で作製され、前記孔（１ａ）に対して挿脱可能な係止部（１０ｂ）と、上シート（２）及び下シート（１）の少なくとも一方において、第二、第三中足骨（Ｂ２，Ｂ３）の先端部から第二、第三中足趾節間関節（Ｃ２，Ｃ３）にかけての足裏の部位（Ｗ）を全面支持する支持部（１０ａ）とを有することを特徴とする請求項４に記載の履物用中敷。
【発明の詳細な説明】
【技術分野】
【０００１】
本発明は、靴やブーツなどの履物の内部に挿入され、歩行時において足裏をマッサージしたり、足裏に対する地面からの衝撃を緩和したりする効果を有する履物用中敷に関する。
【背景技術】
【０００２】
従来より、履物用中敷として、足裏のツボを刺激して足裏をマッサージしたり、足裏に対する地面からの衝撃を緩和したりするものが市販されているが、昨今では、足の骨の並びが潰れないように足裏を支持する履物用中敷が提案されている。この種の履物用中敷としては、例えば足裏の形状に応じて形成される下シートと、該下シートと同一形状に形成される上シートとが面ファスナによって互いに着脱自在に構成されると共に、該両シートの間に、足裏を支持するのに好適な凸形状を呈した機能性部材が介挿されているものが公知になっている（特許文献１）。そして、係る履物用中敷においては、各機能性部材の裏面に、下シートに着脱できるように面ファスナを設けられており、使用者が自己の足裏の中足部、土踏まずの部位、踵部の位置に応じて配置している。
【特許文献１】特開２００３−８８４０５号公報
【発明の開示】
【発明が解決しようとする課題】
【０００３】
しかしながら、上記公報の履物用中敷においては、歩行している際に、下シートに配置した各機能性部材の位置が所望の位置からずれていると気づいた場合、上シートによって各機能性部材が覆われているため、各機能性部材の位置を目視することができず、各機能性部材の位置を調整するには、上シート、下シート及び各機能性部材を分解する必要があり、その作業に手間が掛かる。しかも、面ファスナによる着脱構造であるため、下シートに対する各機能性部材の微妙な位置調整が難しいと考えられる。
【０００４】
さらに、下シートには、足裏の中足部、土踏まずの部位、踵部の位置を表示する手段は何ら施されていないため、医学的に知られている効能のある足裏の部位に機能性部材を固定したい場合、下シートと足裏とを照らし合わせながら位置合わせする必要があり、その作業が煩雑であると考えられる。
【０００５】
そこで、本発明は、上記問題点を鑑み、足裏に対する機能性部材の位置調整及び位置決めを容易に且つ確実に行える履物用中敷を提供することを課題とする。
【課題を解決するための手段】
【０００６】
前記課題を解決するために、本発明に係る履物用中敷は、足裏の形状に応じて形成される下シート１と、該下シート１と同一形状に形成される上シート２とが互いに着脱自在に構成されると共に、該両シート１，２の間に、足裏を支持する機能性部材５，１０が介挿される履物用中敷において、両シート１，２の少なくとも一方に、機能性部材５，１０の位置決め及び／又は位置調整を行うための切欠き２ａ，２ｂ及び孔１ａのうち少なくとも一方が形成されることを特徴とする。
【０００７】
この場合、両シート１，２の少なくとも一方に形成された切欠き２ａ，２ｂ又は孔１ａに基づいて、機能性部材５，１０を介挿すれば容易に位置決めできる。また、切欠き２ａ，２ｂにおいては、図４に示すように、切欠き２ａ，２ｂに基づいて機能性部材５の位置決めが行えると共に、切欠き２ａ，２ｂから機能性部材５の位置を目視しつつ調整が行える。孔においては、図４に示す切欠き２ａ，２ｂの代わりに孔を形成すれば、切欠き２ａ，２ｂと同様に、機能性部材５，１０の位置決め及び位置調整の両方が行える一方、図１に示すように形成すれば、位置決めのみが行える。切欠きと孔を組み合わせるようにしてもよい。
【０００８】
また本発明によれば、前記切欠き２ａ，２ｂを、上シート２及び下シート１の少なくとも一方において、足の踵骨Ａ１の先端部から第一中足骨Ｂ１の基端部にかけての足裏の側部、及び足の踵骨Ａ１の先端部から第五中足骨Ｂ５の基端部にかけての足裏の側部の少なくとも一方に対応する箇所に、足裏の内側に向かうにしたがって深く湾曲するように形成するようにしてもよい。
【０００９】
この場合、前記切欠き２ａを、足の踵骨Ａ１の先端部から第一中足骨Ｂ１の基端部にかけての足裏の一側部（中足部Ｙの内側部）に、足裏の内側に向かうにしたがって深く湾曲するように形成すると、機能性部材５が切欠き２ａを通して目視できると共に、中足部（土踏まず）Ｙの内側部に当接することになる。また、前記切欠き２ｂを、足の踵骨Ａ１の先端部から第五中足骨Ｂ５の基端部にかけての足裏の他側部（中足部Ｙの外側部）に、足裏の内側に向かうにしたがって深く湾曲するように形成すると、機能性部材５が切欠き２ｂを通して目視できると共に、中足部Ｙの外側部に当接することになる。そして、切欠き２ａ，２ｂを介して機能性部材５の位置調整を行うことができると共に、前記足裏の両側部を機能性部材５によって支持することで、中足部Ｙのアーチ構造が維持されるようになり、このアーチ構造の維持によって足に係る力が吸収・分散されることになり、足底腱膜炎や踵骨棘などの障害を予防することができる。なお、好みに応じて、中足部Ｙにおけるいずれか一方の側部を機能性部材５で支持するようにしてもよい。
【００１０】
また本発明によれば、前記機能性部材５を、内部に封入される流動体９が足の動きに応じて流動することにより圧縮膨張する薄板状の袋状部８で構成し、該袋状部８を、足裏の踵部Ｘ、踵骨Ａ１の先端部から第一及び第五中足骨Ｂ１，Ｂ５の基端部にかけての足裏の両側部、及び第一〜第五中足骨Ｂ１〜Ｂ５の基端部が並列する足裏の中足部（土踏まず）Ｙのうち少なくとも一つの部位に位置するように個別に設ける、或いは少なくとも二つの部位に連続するように設けて、足裏の両側部に位置する袋状部８を、前記切欠き２ａ，２ｂに位置させるようにしてもよい。
【００１１】
この場合、歩行時の足の動きによって、袋状部８に封入されている流動体９が移動することになり、袋状部８に当接している足裏の部位、足裏の踵部Ｘ、踵骨Ａ１の先端部から第一及び第五中足骨Ｂ１，Ｂ５の基端部にかけての足裏の両側部、第一〜第五中足骨Ｂ１〜Ｂ５の基端部が並列する足裏の中足部Ｙのうち少なくとも一つの部位が、移動する流動体９によってマッサージされることになる。したがって、袋状部８に当接している足裏の部位の血行が促進されて、むくみを解消できるようになる。また、袋状部８を踵部Ｘの位置のみに設けるようにすれば、踵部Ｘに対する地面からの衝撃を緩和することになる。また、袋状部８を中足部Ｙに設けるようにすれば、並列する第一〜第五中足骨Ｂ１〜Ｂ５の基端部（リスフラン関節Ｓの並び）をアーチ状に維持することができ、上述した種々の障害から足を保護することができる。
【００１２】
また袋状部８を略Ｌ字形状に形成して、踵部Ｘから第一中足骨Ｂ１の基端部にかけての足裏の一側部、踵部Ｘから第五中足骨Ｂ５の基端部にかけての足裏の他側部、中足部Ｙから第一中足骨Ｂ１、踵部Ｘの内側部にかけての足裏の部位、中足部Ｙから第五中足骨Ｂ５、踵部Ｘの外側部にかけての足裏の部位に当接するようにしてもよい。また袋状部８を略コ字形状に形成して、踵部Ｘから第一中足骨Ｂ１、中足部Ｙの前部にかけての足裏の部位に当接してもよく、踵部Ｘから第五中足骨Ｂ５、中足部Ｙの前部にかけての足裏の部位に当接してもよく、中足部Ｙの前部から第一中足骨Ｂ１、踵部Ｘにかけての足裏の部位に当接してもよく、中足部Ｙの前部から第五中足骨Ｂ５、踵部Ｘにかけての足裏の部位に当接してもよい。また袋状部８を環状に形成して、踵部Ｘ、第一中足骨Ｂ１、中足部Ｙの前部、第五中足骨Ｂ５の足裏の部位に当接するようにしてもよい。要は、袋状部８によって足裏との接触面積を拡大できればよく、踵骨Ａ１を直立した状態で安定支持したり、土踏まずのアーチ構造Ｖを支持したりすることで、足からくる種々の障害を防止できるようにする。
【００１３】
また本発明によれば、前記孔１ａを、上シート２及び下シート１の少なくとも一方において、第二、第三中足骨Ｂ２，Ｂ３の先端部から第二、第三中足趾節間関節Ｃ２，Ｃ３にかけての足裏の部位Ｗに対応する箇所に、第二、第三中足骨Ｂ２，Ｂ３の先端部側に向かうにしたがって大きく、第二、第三中足趾節間関節Ｃ２，Ｃ３側に向かうにしたがって小さくなるように形成するような構成を選択することもできる。
【００１４】
この場合、歩行時に、最も荷重の係る第二、第三中足骨Ｂ２，Ｂ３の先端部から第二、第三中足趾節間関節Ｃ２，Ｃ３にかけての足裏の部位Ｗに孔１ａを形成することで、この孔１ａに機能性部材１０を挿入できるようになる。
【００１５】
また本発明によれば、前記機能性部材１０を、緩衝部材で作製し、前記孔１ａに対して挿脱可能な係止部１０ｂと、上シート２及び下シート１の少なくとも一方において、第二、第三中足骨Ｂ２，Ｂ３の先端部から第二、第三中足趾節間関節Ｃ２，Ｃ３にかけての足裏の部位Ｗを全面支持する支持部１０ａとで構成するようにしてもよい。
【００１６】
この場合、機能性部材１０を緩衝部材で作製すると共に、第二、第三中足骨Ｂ２，Ｂ３の先端部から第二、第三中足趾節間関節Ｃ２，Ｃ３にかけての足裏の部位Ｗを全面支持することで、衝撃や荷重を分散できるので、歩きやすくなると共に、疲れにくくなる。また、機能性部材１０の支持部１０ａの厚さを変更することで、履物内部の前側の容積を変化させることが可能になり、ワイズ（足囲）を調整することも可能である。
【発明の効果】
【００１７】
以上のように、本発明の履物用中敷は、上シート及び下シートの少なくとも一方に、切欠き及び孔のうち少なくとも一方を形成するようにしたので、両シートの間に介挿される機能性部材の位置決めを、切欠き又は孔に基づいて容易に行える。また、機能性部材を切欠き又は孔から目視できるので、位置調整が容易に行える。つまり、機能性部材を足裏の好適な位置に容易に且つ確実に位置決め及び／又は位置調整を行うことができる。
【発明を実施するための最良の形態】
【００１８】
以下、本発明の一実施形態に係る履物用中敷について、添付図面を参照しつつ説明する。なお、履物用中敷は、左右対称であるため、片方のみを図示して説明し、他方についての説明は省略する。
【００１９】
まず、本実施形態に係る履物用中敷について説明する前に、足の構造について図９を参照して説明する。足の骨において、踵骨Ａ１を有する足根骨Ａと、該足根骨Ａの前方に並列する第一〜第五中足骨Ｂ１〜Ｂ５を備えた中足骨Ｂと、該中足骨Ｂの先にある第一〜第五中足趾節間関節Ｃ１〜Ｃ５を有する指骨Ｃとの３群に分けている。
【００２０】
足裏においては、足の骨の構造に基づいて、踵骨Ａ１の位置にある踵部Ｘと、足根骨Ａの前部から中足骨Ｂの位置にある中足部（土踏まず）Ｙと、指骨Ｃが位置する足指部Ｚとの３群に分けている。さらに、踵部Ｘから第一中足骨Ｂ１の先端部にかけての部位を内側の縦アーチラインＲ１と称し、踵部Ｘから第五中足骨Ｂ５の先端部にかけての部位を外側の縦アーチラインＲ２と称し、第一中足骨Ｂ１の先端部及び第五中足骨Ｂ５の先端部を結ぶ部位を横アーチラインＲ３と称し、両縦アーチラインＲ１，Ｒ２及び横アーチラインＲ３によって土踏まずＹのアーチ構造Ｖが形成されている。なお、このアーチ構造Ｖは、各中足骨Ｂ１〜Ｂ５の基端部が並列するリスフラン関節Ｓの部位をいう場合もある。アーチ構造Ｖは、足に係る力が吸収・分散をするクッションのような役目を担っており、このアーチ構造Ｖが崩れることによって、足底腱膜炎や踵骨棘などの種々の障害を起こすことが一般的に知られている。このため、後述する第一機能性部材５を足裏の中足部Ｙに配置して前記アーチ構造Ｖの形状を維持することが重要視されている。
【００２１】
また、第二、第三中足骨Ｂ２，Ｂ３の先端部から第二、第三中足趾節間関節Ｃ２，Ｃ３にかけての足裏の部位Ｗは、荷重（つま先で立った場合の体圧及び地面からの衝撃）が大きく係る部位であることが一般的に知られている。
【００２２】
つぎに本実施形態に係る履物用中敷について、図１（ａ）、（ｂ）及び図４を参照して説明する。該履物用中敷は、下シート１と、該下シート１に着脱自在に重ね合わせられる上シート２と、両シート１，２の間に介挿され、足裏を支持する第一及び第二機能性部材５，１０とで構成されている。
【００２３】
下シート１は、足裏の外形線、即ち踵部Ｘの円弧状部から、中足部（土踏まず）Ｙにおける内側及び外側の円弧状部を経て、中足骨Ｂ１〜Ｂ５で支持される中足部Ｙに向かうにしたがって幅広く、足指部Ｚ側に向かうにしたがって幅狭くなり、足指部Ｚの先端を覆うように円弧状に形成されている。そして、下シート１の上面は、面ファスナが全面に設けられており（図示せず）、後述する上シート２の面ファスナとによって、両シート１，２が互いに着脱自在になるように構成されている。また、下シート１の前側中央、即ち第二、第三中足骨Ｂ２，Ｂ３の先端部から第二、第三中足趾節間関節Ｃ２，Ｃ３にかけての足裏の部位に、後述する第二機能性部材１０が取り付けられる孔１ａが形成されている。
【００２４】
孔１ａは、略卵形状、即ち第二、第三中足骨Ｂ２，Ｂ３の先端部側に向かうにしたがって大きく、第二、第三中足趾節間関節ＣＳ，Ｃ３側に向かうにしたがって小さくなるように形成されている。詳細に説明すると、孔１ａの外形線は、全体的に第一中足趾節間関節Ｃ１側に向かうにしたがって前方に傾斜している。つまり、孔１ａから臨出する第二機能性部材１０の支持部１０ａが、第二、第三中足骨Ｂ２，Ｂ３の先端部から第二、第三中足趾節間関節Ｃ２，Ｃ３にかけての足裏の部位Ｗを支持しやすいように形成されている。
【００２５】
上シート２は、下シート１と略同一形状であり、上述した両縦アーチラインＲ１，Ｒ２の部位を支持する第一機能性部材５が位置する切欠き２ａ，２ｂが形成されている。
【００２６】
切欠き２ａ，２ｂは、足の踵骨Ａ１の先端部から第一中足骨Ｂ１の基端部、及び足の踵骨Ａ１の先端部から第五中足骨Ｂ５の基端部にかけての足裏の両側部に、足裏の内側に向かうにしたがって深く湾曲するように形成されている。つまり、切欠き２ａ，２ｂから後述する第一機能性部材５の袋状部８が臨出するようになり、この臨出部位を目視することで、第一機能性部材５の位置を容易に且つ確実に位置調整できるようになる。
【００２７】
なお、前記両シート１，２は、夏場や梅雨時は、消臭、抗菌を有する材質を選択し、冬場又は寒冷地では、蒸れにくく保温性を有する材質を選択するのが好ましい。また前記両シート１，２の着脱を面ファスナによるものとしたが、留め具による着脱であってもよい。
【００２８】
第一機能性部材５は、下シート１に対して摩擦抵抗が大きくなるように、平板状に且つ環状に形成された位置決めシート６と、該位置決めシート６の内周縁部及び外周縁部に溶着された、位置決めシート６と略同一形状の支持シート７と、両シート６，７が溶着されて形成された環状で薄板状の袋状部８と、該袋状部８の内部に封入された流動体９とで構成されている。
【００２９】
支持シート７は、流動体９を内部に封入するための底浅い収容凹部が環状に形成され、位置決めシート６及び支持シート７の内周縁部と外周縁部とが溶着されることによって、上述した環状の袋状部８が収容凹部に沿って形成されている。
【００３０】
なお、位置決めシート６及び支持シート７は、足の動きによって圧縮膨張する合成樹脂製のシートによって形成されている。位置決めシート６及び支持シート７の内周縁部の内空間５ａにおいて、下シート１及び上シート２の面ファスナが接着することになり、足の動きによって第一機能性部材５が位置ずれしないように構成されている。
【００３１】
袋状部８は、その内部に流動体９が封入されることによって、上述した両縦アーチラインＲ１，Ｒ２及び横アーチラインＲ３によるアーチ構造Ｖを弾性支持している（図５参照）。つまり、袋状部８を足裏に面接触させることによって、足裏に対する接触面積が拡大されると共に、足の踵が直立された状態で安定支持される一方、袋状部８がアーチ構造Ｖを支持することで、該アーチ構造Ｖに係る体圧が分散されるようになり、長時間歩行しても疲れが少なく、歩きやすくなっている。
【００３２】
また両縦アーチラインＲ１，Ｒ２を支持する両側の袋状部８は、切欠き２ａ，２ｂの湾曲部と同一の湾曲部を有しており、切欠き２ａ，２ｂの湾曲部に対して袋状部８の湾曲部を沿うようにして、第一機能性部材５を介挿すれば容易に所望の位置に固定できる。つまり、互いの湾曲部が第一機能性部材５を介挿する際の位置決めの基準になる。
【００３３】
そして、歩行時の足の動きに応じて、即ち人が直立した状態では、袋状部８に均等に体圧が係っており、この状態から歩き出すと、まず足指部Ｚ側に体重が移動仕始めると共に、踵部Ｘが支持シート７から離間する方向に移動する一方、足指部Ｚ側に押し出された流動体９が踵部Ｘ側に移動し、踵部Ｘ側の袋状部８が膨張する。つぎに、踵部Ｘが着地することによって踵部Ｘ側の袋状部８が圧縮され、踵部Ｘ側から足指部Ｚに体重が移動し、袋状部８の前側部が膨張する。このような動作を袋状部８が繰り返すことで、足裏のマッサージが可能になる。
【００３４】
流動体９としては、袋状部８から漏れ出た場合に安全であること、蒸発しにくく、氷結しにくい素材であることを考慮してグリセリンを使用する。
【００３５】
第二機能性部材１０は、ラテックス製で、孔１ａと略同一形状を呈しており、２〜３ｍｍ程度の厚みを有する平板状の支持部１０ａと、該支持部１０ａの裏面に形成された、支持部１０ａが縮小された凸状の係止部１０ｂとを有している。
【００３６】
そして、第二機能性部材１０によって、第二、第三中足骨Ｂ２，Ｂ３の先端部から第二、第三中足趾節間関節Ｃ２，Ｃ３にかけての足裏の部位Ｗが支持され、この部位Ｗに係る地面からの衝撃を緩和するようにしている。なお、係止部１０ｂは環状に形成してもよく、係止部１０ｂと支持部１０ａを同一形状にしてもよい。また支持部１０ａの形状としては、図示に限定されるものではなく、例えば台形状、長楕円形状、五角形状であってもよい。要するに、孔１ａから離脱することなく、前記足裏の部位Ｗを孔１ａの位置において支持できるような形状を有していればよい。
【００３７】
つぎに使用態様について説明する。まず下シート１の先端部に上シート２の先端部を固着した状態にし、第二機能性部材１０を孔１ａに取り付けると共に、第一機能性部材５を中足部Ｙ付近に配置する。この状態において上シート２を下シート１に重ね合わせて、両シート１，２を仮固定状態にする。
【００３８】
そして、第一機能性部材５を切欠き２ａ，２ｂから目視しつつ、第一機能性部材５の湾曲部を上シート２の切欠き２ａ，２ｂの湾曲部に沿うように位置調整し、その後、第一機能性部材５の内周縁部の内空間５ａにおいて両シート１，２を固着して、第一機能性部材５を位置固定する。
【００３９】
そして、第一及び第二機能性部材５，１０を介挿して一体化された両シート１，２を履物の内部に挿入する。
【００４０】
なお、前記実施形態の場合、切欠き２ａ，２ｂを上シート２の両側に形成するようにしたが、何れか一方であってもよい。この場合、第一機能性部材５は、いずれか一方の縦アーチラインを支持する袋状部８を備えることになる。但し、マッサージ効果を考慮すると、湾曲して形成された切欠き２ａ，２ｂを両側に形成するのが好ましい。また、湾曲して形成された切欠き２ａ，２ｂの代わりに、略半月状の孔を形成してもよい。何れの場合も、第一機能性部材５の位置を目視できるので、位置調整が容易であり、切欠き２ａ，２ｂや孔に基づいて容易に位置決めできる。
【００４１】
また、前記実施形態の場合、下シート１に孔１ａを形成するようにしたが、上シート２に形成するようにしてもよく、両シート１，２に形成してもよい。
【００４２】
また、前記実施形態の場合、第一機能性部材５の流動体９としてグリセリンを使用したが、袋状部８から漏れ出た場合に安全であること、蒸発しにくく、氷結しにくいものであれば何でもよい。また、第一機能性部材５を、流動体９を封入することなく、ラテックス、エラストマ樹脂製、ＥＶＡ樹脂製、発泡ゴム、ウレタンゴムなどの素材で構成してもよい。
【００４３】
また、前記実施形態の場合、第一機能性部材５は図示に限定されるものではなく、例えば、足裏の踵部Ｘ、中足部（土踏まず）Ｙ、足指部Ｚの個別の位置に袋状部８を配置したり、図６に示すように、踵部Ｘから両縦アーチラインＲ１，Ｒ２を支持するように袋状部８を配置したりする構成にしてもよい。
【００４４】
また、前記実施形態の場合、第二機能性部材１０の素材としてラテックスを使用したが、蒸れにくく、滑りにくく、衝撃を吸収できる素材であれば何でもよく、例えばエラストマ樹脂製、ＥＶＡ樹脂製、発泡ゴム、ウレタンゴムであってもよい。
【００４５】
また、前記実施形態の場合、第一機能性部材５を切欠き２ａ，２ｂに配置し、第二機能性部材１０を孔１ａに配置するようにしたが、第二機能性部材１０を切欠き２ａ，２ｂに配置できるように形成し、第一機能性部材５を孔１ａに配置できるように形成するようにしてもよい。この場合、第一及び第二機能性部材５，１０の形状は、孔１ａ及び切欠き２ａ，２ｂに対応するように作製することは言うまでもない。
【００４６】
また、前記実施形態の場合、第一機能性部材５の位置決め手段として、第一機能性部材５の内周縁部の内空間５ａを利用するようにしたが、下シート１の面ファスナの対応する位置に、第一機能性部材５の位置決めするための凹部を形成するようにしてもよい。さらに、この凹部を、下シート１の上面全体に形成するようにしてもよい。この場合、下シート１の凹部の所望の位置に種々の形状に作製された機能性部材を介挿でき、しかも、面ファスナとの接触によって機能性部材５の位置決めがなされる。
【００４７】
また、前記実施形態の場合、下シート１に孔１ａを形成し、両シート１，２の間に、流動体を封入した第一機能性部材５と、第二機能性部材１０とを介挿するようにしたが、図７に示すように、第二、第三中足骨Ｂ２，Ｂ３の先端部に向かうにしたがって大きく、第二、第三中足骨Ｂ２，Ｂ３の基端部側に向かうにしたがって小さくなるように孔１ａ'を形成すると共に、踵部Ｘの位置に、踵骨Ａ１の基端部側に向かうにしたがって大きく、先端部側に向かうにしたがって小さくなるように孔１ｂ'を形成し、両孔１ａ'，１ｂ'にそれぞれ対応する形状の機能性部材５'，１０'をエラストマ樹脂製で作製するようにしてもよい（図８参照）。機能性部材５'は、孔１ｂ'よりも若干大きく形成されると共に、踵部Ｘを支持する支持部５ａ'と、該支持部５ａ'の裏面に、支持部５ａ'が縮小して形成されると共に、孔１ｂ'に係合する係止部５ｂ'とを備えている。一方、機能性部材１０'は、孔１ａ'よりも若干大きく形成されると共に、アーチ構造Ｖを支持する支持部１０ａ'と、該支持部１０ａ'の裏面に、支持部１０ａ'が縮小して形成されると共に、孔１ａ'に係合する係止部１０ｂ'とを備えている。この場合、機能性部材５'によって踵部Ｘの衝撃を緩和できると共に、機能性部材１０'によってアーチ構造Ｖを維持できる効果を奏する。なお、機能性部材５'，１０'の材質としては、発泡ゴム、ＥＶＡ樹脂、ウレタンゴムで構成するようにしてもよい。
【００４８】
また、前記実施形態の場合、足裏において、第二、第三中足骨Ｂ２，Ｂ３の先端部から第二、第三中足趾節間関節Ｃ２，Ｃ３にかけての足裏の部位Ｗ、即ちつま先で立った場合に、足裏において最も体重の係る部位Ｗに平板状の第二機能性部材１０を設けるようにしたが、東洋医学でいう「湧泉」というツボを押圧できるよう、第二、第三中足骨Ｂ２，Ｂ３の先端部の後方の足裏の部位に、半球形状に形成した第二機能性部材を設けるようにしてもよい。ここでいう「湧泉」とは、足指を踵側（内側）に曲げた際に、足裏において、第二、第三中足骨Ｂ２，Ｂ３の先端部の後方の足裏の部位に「人」の字が形成され、その交点に形成される凹部のことである。この「湧泉」（ツボ）を刺激することで疲労回復などに効果があると一般的に知られている。
【図面の簡単な説明】
【００４９】
【図１】（ａ）は、本発明の一実施形態に係る履物用中敷の下シートの平面図、（ｂ）は上シートの平面図。
【図２】下シート及び上シートに介挿され、上シートの切欠きから臨出する第一機能性部材の平面図。
【図３】下シート及び上シートに介挿され、下シートの孔に取り付けられる第二機能性部材の背面図。
【図４】本発明の一実施形態に係る履物用中敷の分解斜視図。
【図５】第一機能性部材が足裏を支持している状態の側断面図。
【図６】第一機能性部材の変形例を示した平面図。
【図７】下シートの変形例を示した平面図。
【図８】図７の下シートに対応した機能性部材の平面図。
【図９】第一機能性部材によって支持される両側の縦アーチライン及び横アーチラインと、第二機能性部材によって支持される最も荷重の係る足裏の部位とを含む足の構造図。
【符号の説明】
【００５０】
１,１'…下シート、１ａ,１ａ'，１ｂ'…孔、２…上シート、５，５'，１０，１０'，５０…機能性部材、５ａ…内空間、６，６０…位置決めシート、７，７０…支持シート、８，８０…袋状部、９…流動体、１０ａ…支持部、１０ｂ…係止部、Ａ…足根骨、Ａ１…踵骨、Ｂ…中足骨、Ｂ１…第一中足骨、Ｂ５…第五中足骨、Ｂ２…第二中足骨、Ｂ３…第三中足骨、Ｂ５…第五中足骨、Ｃ…指骨、Ｃ１…第一中足趾節間関節、Ｃ２…第二中足趾節間関節、Ｃ３…第三中足趾節間関節、Ｃ５…第五中足趾節間関節、Ｒ１，Ｒ２…縦アーチライン、Ｒ３…横アーチライン、Ｓ…リスフラン関節、Ｖ…アーチ構造、Ｗ…第二、第三中足骨Ｂ２，Ｂ３の先端部から第二、第三中足趾節間関節Ｃ２，Ｃ３にかけての足裏の部位、Ｘ…踵部、Ｙ…中足部、Ｚ…足指部
【図１】
2009279327.tif 000003
【図２】
2009279327.tif 000004
【図３】
2009279327.tif 000005
【図４】
2009279327.tif 000006
【図５】
2009279327.tif 000007
【図６】
2009279327.tif 000008
【図７】
2009279327.tif 000009
【図８】
2009279327.tif 000010
【図９】
2009279327.tif 000011